(57)【要約】【課題】乗り場枠体への養生および作業後の枠体の補修を要せずに、効率よく経済的に主ロープを交換できるエレベータの主ロープ交換装置の提供。【解決手段】乗りかご４上に設けられる取付台１４と、この取付台１４上に設けられ、ロープ送り出しドラム２４とロープ巻き取りドラム２５が略同一軸上に連結されるドラム体１５と，取付台１４と昇降路１の出入口１ｃとの間をつなぐつなぎ部材１６とを備えた。これにより、ドラム体１５をつなぎ部材１６で乗りかご４上に搬入した後、ドラム体１５から新ロープを送り出してドラム体１５で既設のロープ６を巻き取るので，出入口１ｃの乗り場枠体の損傷を防止できる。【選択図】　　　　図２
2004083278.tif 000002
【特許請求の範囲】
【請求項１】
両端が昇降路上部のロープ固定部にそれぞれ連結されるとともに、中間部がつり合いおもりに設けられるおもりプーリと、乗りかごの下部に設けられるかご下プーリと、巻上機の巻上シーブとに順次掛回される複数本のロープの交換を行なうエレベータの主ロープ交換装置において，
前記乗りかごを前記昇降路の上部で保持する乗りかご保持部と、前記つり合いおもりを前記昇降路の下部で保持するおもり保持部と、交換用の新ロープを送り出すロープ送り出しドラム、および前記ロープを巻き取るロープ巻き取りドラムが略同一軸上に連結され移動可能なフレーム上に載置されるドラム体と、前記乗りかごの上部に設けられ前記ドラム体が取付けられる取付台と、この取付台と前記昇降路の出入口との間をつなぐ着脱可能なつなぎ部材とを備えたことを特徴とするエレベータの主ロープ交換装置。
【請求項２】
請求項１に記載のエレベータの主ロープ交換装置において、前記ドラム体にキャスタを設けたことを特徴とするエレベータの主ロープ交換装置。
【請求項３】
請求項１に記載のエレベータの主ロープ交換装置において、前記ドラム体のフレームが、基体と、この基体上に回転可能に設けられ、前記ロープ送り出しドラムおよびロープ巻き取りドラムを支持する支持台とを備えたことを特徴とするエレベータの主ロープ交換装置。
【請求項４】
請求項１に記載のエレベータの主ロープ交換装置において、前記取付台および前記つなぎ部材の少なくとも一方にローラを設けたことを特徴とするエレベータの主ロープ交換装置。
【発明の詳細な説明】
【０００１】
【発明の属する技術分野】
本発明は、乗りかごおよびつり合いおもりを駆動する複数本のロープの交換を行なうエレベータの主ロープ交換装置に関する。
【０００２】
【従来の技術】
従来，このエレベータの主ロープ交換装置として、エレベータの乗り場開口部に柱を設置し，その柱に既設ロープの巻き取りドラムと新ロープの送り出しドラムを取付け，既設ロープと新ロープを接続した後，前記の柱で既設ロープの巻き取りと新ロープの送り出しのための反力を受けて、新ロープを送り出しながら既設ロープを巻き取ることにより主ロープを交換するものが提案されている（例えば、特許文献１参照。）。
【０００３】
【特許文献１】
特開昭６１―２８７６７８号公報（第２、３頁、図１、２）
【０００４】
【発明が解決しようとする課題】
ところで，前述した従来技術にあっては，主ロープ交換の際に既設ロープの巻き取りと新ロープの送り出しのための反力をエレベータ乗り場の開口部に設けた柱で受けていることから、意匠品であるエレベータ乗り場の枠体に傷を付ける可能性があり，そのために乗り場枠体の養生や作業完了後の補修作業などを要し、エレベータの主ロープ交換の作業効率が悪く経済的にも問題があった。
【０００５】
また、ロープ両端のエンド位置により、乗り場開口部に設けた反力受けの柱までのロープ取り廻しが複雑となり、昇降路内に多数のロープ用滑車を設ける必要が生じ、事前の調査によりエレベータの不稼動時間や調査経費を要するという問題もあった。
【０００６】
さらに、エレベータ乗り場を開口して既設エレベータのロープ交換作業を行なう際、その建物の利用者などの第三者の安全面の確保のために乗り場に開口部養生および進入防止柵などを施す必要があるが、乗り場スペースが狭い場合、上記の安全柵などの設置により歩行困難な状態が発生するという問題もあった。
【０００７】
本発明は、上記のような従来技術における実情を鑑みてなされたもので，その目的は、乗り場枠体への養生および作業後の枠体の補修を要せずに、効率よく経済的に主ロープを交換することのできるエレベータの主ロープ交換装置を提供することにある。
【０００８】
【課題を解決するための手段】
上記目的を達成するため、請求項１に係わる本発明は、両端が昇降路上部のロープ固定部にそれぞれ連結されるとともに、中間部がつり合いおもりに設けられるおもりプーリと、乗りかごの下部に設けられるかご下プーリと、巻上機の巻上シーブとに順次掛回される複数本のロープの交換を行なうエレベータの主ロープ交換装置において，前記乗りかごを前記昇降路の上部で保持する乗りかご保持部と、前記つり合いおもりを前記昇降路の下部で保持するおもり保持部と、交換用の新ロープを送り出すロープ送り出しドラム、および前記ロープを巻き取るロープ巻き取りドラムが略同一軸上に連結され移動可能なフレームに載置されるドラム体と、前記乗りかごの上部に設けられ前記ドラム体が取付けられる取付台と、この取付台と前記昇降路の出入口との間をつなぐ着脱可能なつなぎ部材とを備えた構成にした。
【０００９】
このように構成した本発明の請求項１に係わる発明では，ドラム体のロープ巻き取りドラムにあらかじめ交換用の新ロープを巻き付け、乗りかごの上部に設けた取付台と昇降路の出入口との間をつなぎ部材によりつなぎ、このつなぎ部材上を通って前記のドラム体を乗りかご上部に搬入した後、この乗りかごの上部に設けた取付台にドラム体を取付ける。次に、ドラム体のロープ送り出しドラムから新ロープを送り出すとともに、ロープ巻き取りドラムで既設のロープを巻き取る。これにより，主ロープ交換の際に乗り場枠体の損傷を防止できるので、乗り場枠体への養生および作業後の枠体の補修を要せずに、効率よく経済的に主ロープを交換することができる。さらに、上記のロープ交換作業を昇降路内で行ない、エレベータ乗り場に安全柵を設ける必要がないため、狭いエレベータ乗り場であっても歩行を妨げることがない。
【００１０】
また、本発明の請求項２に係わる発明は、請求項１に係わる発明において、前記ドラム体にキャスタを設けた構成にした。
【００１１】
このように構成した請求項２に係わる発明では、ドラム体をキャスタによって容易に移動させることができる。
【００１２】
また、本発明の請求項３に係わる発明は、請求項１に係わる発明において、前記ドラム体のフレームを、基体と、この基体上に回転可能に設けられ、前記ロープ送り出しドラムおよびロープ巻き取りドラムを支持する支持台とを備えた構成にした。
【００１３】
このように構成した請求項３に係わる発明では、ロープ本数の増加に伴ない送り出しドラムと巻き取りドラムの連結横幅、すなわちドラム体の横幅が増加するため、このドラム体を昇降路の出入口より昇降路内に搬入する際、この出入口の間口が比較的狭い場合に、フレームの支持台を基体に対して回転することによりドラム体の向きを調整して昇降路の出入口を通過させる。次いで、キャスタを用いてドラム体をつなぎ部材上を通って乗りかご上部に搬入し、この乗りかごの上部に設けた取付台にドラム体を取付けた後、ロープ両端のエンド位置に応じてフレームの回転によりドラム体の向きを調整し、この状態でドラム体のロープ送り出しドラムから新ロープを送り出すとともに、ロープ巻き取りドラムで既設のロープを巻き取る。これにより、ドラム体を昇降路の出入口より昇降路内に搬入する際、この出入口の三方枠などの損傷を防止できるとともに、キャスタにより容易にドラム体を移動させることができる。さらに、ロープ両端のエンド位置に応じてドラム体の向きを調整することにより、多数の滑車を使うことなく効率的にロープ交換作業を行なえる。
【００１４】
また、本発明の請求項４に係わる発明は、請求項１に係わる発明において、前記取付台および前記つなぎ部材の少なくとも一方にローラを設けた構成にした。
【００１５】
このように構成した請求項４に係わる発明では、ドラム体を乗り場から乗りかご上部に搬入する際に、乗りかごの上部の取付台とつなぎ部材の少なくとも一方に設けたローラ上をドラム体が移動するので、このドラム体を乗りかご上部に容易に搬入することができる。これにより、昇降路を開口した状態でのロープ交換作業を短縮化でき、建物の利用者などの第三者への危険を少なくすることができる。
【００１６】
【発明の実施の形態】
以下、本発明のエレベータの主ロープ交換装置の実施の形態を図に基づいて説明する。
【００１７】
図１は本発明の一実施形態に係るエレベータの主ロープ交換装置を示す縦断面図，図２は本実施形態によりドラム体を乗りかご上に載置する工程を示す縦断面図、図３は本実施形態により乗りかごおよびつり合いおもりを保持する工程を示す縦断面図、図４は本実施形態の主ロープ交換装置に設けられるロープ接続部の平面図、図５は図４のロープがプーリに巻掛けられた状態を示す説明図、図６は本実施形態の主ロープ交換装置に設けられるドラム体の説明図、図７は本実施形態の主ロープ交換装置に設けられるロープ案内具の説明図である。
【００１８】
図１〜図３に示すエレベータは、昇降路１の全行程に渡り立設されるガイドレール２と、このガイドレール２により案内され、昇降路１の階床３ａ、３ｎ間を昇降する乗りかご４と、この乗りかご４と相対して昇降路１内を昇降するつり合いおもり５と、これらの乗りかご４およびつり合いおもり５を吊上げるロープ６と、昇降路１の底部１ａに設置され、ロープ６を駆動する巻上機７とを備えている。
【００１９】
図２に示すように既設のロープ６は、一端６ａが昇降路１の頂部１ｂ付近にロープ固定部９で連結されるとともに、ロープ６の中間部が、乗りかご４の下部に取付けられるかご下プーリ４ａと、昇降路１の頂部１ｂ付近の上部ビーム８に設けられる転向プーリ８ａと、巻上機７の巻上シーブ７ａと、上部ビーム８に設けられる他の転向プーリ８ｂと、つり合いおもり５の上部に設けられるおもりプーリ５ａとに順次掛回されて、ロープ６の他端６ｂが昇降路１の頂部１ｂ付近に他のロープ固定部１０で連結されている。
【００２０】
そして、本実施形態の主ロープ交換装置は、乗りかご４を昇降路１の頂部１ｂ近傍で保持する乗りかご保持部、例えばワイヤ１１と、つり合いおもり５を昇降路１の底部１ａ近傍で保持するおもり保持部、例えばジャッキサポート１２と、乗りかご４の上部にブラケット１３を介して設けられる取付台１４と、この取付台１４上に取付けられるドラム体１５と、取付台１４と昇降路１の出入口１ｃとの間をつなぐ着脱可能なつなぎ部材１６と、複数本のロープ６の内少なくとも２本以上のロープ６の一端６ａを新ロープ１７の一端１７ａに接続するロープ接続部１８と、上部ビーム８の両端にそれぞれワイヤ１９，２０を介して仮設される仮設滑車２１、２２と、ロープ６の中間部に係合するロープ案内具２３とを有している。
【００２１】
取付台１４とブラケット１３は，例えば乗りかご４の図示しない枠体に井桁状に組み立てたものであってもよく，あるいはドラム体１５の後述するキャスタ２８が乗せられるレール状のものでよい。
【００２２】
ドラム体１５は、図６に示すように、新ロープ１７を送り出すロープ送り出しドラム２４と、ロープ６を巻き取るロープ巻き取りドラム２５とが略同一軸上に連結され、これらのドラム２４，２５がフレーム２６で支持される回転軸２７により同一方向へ回転可能に支持されている。このドラム体１５では，ロープ送り出しドラム２４に新ロープ１７を全て巻き付けた状態での新ロープ１７の外周部の直径Ｄａよりも，ロープ巻き取りドラム２５のロープ６を巻き付けていない状態での直径Ｄｂのほうが大きく設定されている。フレーム２６は、下側に複数のキャスタ２８を有する基体２９と、この基体２９上に回転座３０を介して回転可能に設けられる支持台３１と、この支持台３１の両端より立設して回転軸２７の両端を支持する一対の支持部材３２とから構成されている。
【００２３】
図４に示すようにロープ接続部１８の直径Ｄは、ロープ６と新ロープ１７の各直径ｄ以上となるとともに、この直径Ｄは、図５に示すようにかご下プーリ４ａ、およびおもりプーリ５ａのロープ溝３３と外れ止め３４との隙間δ未満となるように設定されている。
【００２４】
図７に示すようにロープ案内具２３は、複数本のロープ６がそれぞれ巻掛けられる複数のプーリ３５と、これらのプーリ３５を回転軸３６を介して回転可能に支持するブラケット３７と、回転軸３６の一端に取付けられ、隣合う他のブラケット３７に移動可能に連結される連結部材３８と、ブラケット３７の下部に設けられるおもり部材３９とから構成されている。これにより、複数のプーリ３５がそれぞれ独立して上下可能であり、この状態で各プーリ３５を介して複数本のロープ６におもり部材３９からの荷重がそれぞれ付与されている。
【００２５】
本実施形態の主ロープ交換装置では、次のような作業手順にしたがって既設のロープ６を新ロープ１７と交換するようになっている。すなわち、図２に示す第１の工程として、ドラム体１５のロープ送り出しドラム２４にあらかじめ交換用の新ロープ１７を巻き付け、このドラム体１５を最上階の階床３ｎに準備して，取付台１４を乗りかご４の上部４ｂにブラケット１３を介して設置する。次に，取付台１４の上面が最上階の階床３ｎと同じレベルになるように乗りかご４を低速運転にて移動して停止し、取付台１４と最上階の階床３ｎとの間につなぎ部材１６を設置する。次に、昇降路１の出入口１ｃの間口が比較的狭い場合に、フレーム２６の支持台３１を基体２９に対して回転することにより、ドラム体１５の向きを調整して昇降路１の出入口１ｃを通過させて、ドラム体１５をつなぎ部材１６上を介して乗りかご４の上部４ｂの取付台１４上に搬入して取付ける。
【００２６】
次いで、図３に示す第２の工程として，ドラム体１５を乗りかご４の上部４ｂに運び込んだ後、取付台１４と最上階の階床３ｎとの間からつなぎ部材１６を取外し、ロープ６の両端６ａ、６ｂのエンド位置に応じてフレーム２６の回転によりドラム体１５の向きを調整する。次に、乗りかご４を低速運転にて移動し、昇降路１の頂部１ｂ付近で既設のロープ６の端部６ａ，６ｂを外す作業と交換後の新ロープ１７の固定作業を行なえる高さ位置に乗りかご４の上部４ｂがくる状態で乗りかご４を停止させ，その位置でレールブラケット２ａよりワイヤ１１を介して乗りかご４を保持する。その後，つり合いおもり５の下部にジャッキサポート１２を設置し，つり合いおもり５の荷重がロープ６にかからなくなるようにジャッキサポート１２でつり合いおもり５を上昇させて保持する。
【００２７】
次いで、図１に示す第３の工程として、ロープ６の一端６ａを昇降路１の頂部１ｂのロープ固定部９から外して，ロープ送り出しドラム２４から新ロープ１７の一端１７ａを取出し，例えば上部ビーム８よりワイヤ１９で吊下げた仮設滑車２１を介して掛け回すとともに、新ロープ１７の一端１７ａをロープ接続部１８を介してロープ６の一端６ａと接続する。
【００２８】
次いで、第４の工程として，ロープ６の他端６ｂを昇降路１の頂部１ｂのロープ固定部１０から外し，例えば上部ビーム８にワイヤ２０で吊下げた仮設滑車２２を介して掛け回すとともに、ロープ６の他端６ｂを乗りかご４の上部４ｂに設置したロープ巻き取りドラム２５に接続する。その際に、このロープ巻き取りドラム２５に、新ロープ１７のロープ送り出しドラム２４への巻き付け方向と逆方向にロープ６の一端６ｂを巻くように連結する。さらに、昇降路１の底部１ａで巻上機７の巻上シーブ７ａからロープ６の掛かりを外してロープ案内具２３に掛替えることにより、複数本のロープ６にそれぞれ所定の張力を付与する。
【００２９】
次いで、新ロープ１７の自重によりロープ送り出しドラム２４に回転力が加わると、この回転力が回転軸２７を介してロープ巻き取りドラム２５に伝達され，このロープ巻き取りドラム２５がロープ送り出しドラム２４と同方向に回転させられる。この回転力を利用して新ロープ１７をロープ送り出しドラム２４から送り出しながら，既設のロープ６をロープ巻き取りドラム２５に巻き取ることにより，ロープ６が通るかご下プーリ４ａ，転向プーリ８ａ，巻上シーブ７ａ近傍に設けたロープ案内具２３のプーリ３５，転向プーリ８ｂ，およびおもりプーリ５ａを介する全ての部分において新ロープ１７に置換えるようになっている。
【００３０】
このとき，ロープ送り出しドラム２４には新ロープ１７があらかじめ必要長さ分巻き付けられているため，ロープ送り出しドラム２４が１回転で送り出される新ロープ１７の長さ（Ｌａ）は，ロープ送り出しドラム２４に新ロープ１７を全て巻き付けた状態での新ロープ１７の外周部の直径をＤａとすると，Ｌａ＝Ｄａ×円周率となる。一方、ロープ巻き取りドラム２５には既設のロープ６はまだ巻かれていないため，ロープ巻き取りドラム２５が１回転で巻取れるロープ６の長さ（Ｌｂ）は，ロープ巻き取りドラム２５の直径をＤｂとすると，Ｌｂ＝Ｄｂ×円周率となる。また、ロープ巻き取りドラム２５の直径Ｄｂはロープ送り出しドラム２４の新ロープ１７を巻き付けた状態での新ロープ１７の外周部の直径Ｄａよりも大きくしていることから，ロープ巻き取りドラム２５が１回転で巻取れるロープ６の長さＬｂがロープ送り出しドラム２４が１回転で送り出される新ロープ１７の長さＬａより大きくなり（Ｌｂ＞Ｌａ）、新ロープ１７の送り出し速度よりもロープ６の巻取速度のほうが速くなっている。その結果、ロープ送り出しドラム２４からエレベータの各部のプーリを通ってロープ巻き取りドラム２５にまで戻ってくる間のロープ長さがドラムの回転と共に短くなり，その分ロープ案内具２３が当初の位置よりも上昇する。
【００３１】
最後に第５の工程として，既設のロープ６を全てロープ巻き取りドラム２５に巻取った時点で，新ロープ１７の一端１７ａをロープ接続部１８から切離し，昇降路１の頂部１ｂのロープ固定部１０に端末処理をして連結する。このとき，ロープ案内具２３は巻上機７の巻上シーブ７ａから離れた位置まで上昇しているため，ロープ送り出しドラム２４に巻かれている残りの新ロープ１７をロープ送り出しドラム２４を回転させながら送り出し，ロープ案内具２３を下降させる。その後，昇降路１の底部１ａにてロープ案内具２３から巻上機７の巻上シーブ７ａに新ロープ１７を掛け替え，ロープ案内具２３を取外した後，新ロープ１７の端部を所定長さに切断，端末処理して昇降路１の頂部１ｂのロープ固定部９に連結し、乗りかご４およびつり合いおもり５の保持状態を解除することで交換作業を完了する。
【００３２】
このように構成した本実施形態では，昇降路１の出入口１ｃよりつなぎ部材１６上を通ってドラム体１５を一体で乗りかご４の上部４ｂに搬入できることから，出入口１ｃの乗り場枠体への養生や作業後の枠体の補修を要せずに、主ロープ交換作業を行なえる。さらに、上記のロープ交換作業を昇降路１内で行ない、階床３ｎなどのエレベータ乗り場に安全柵を設ける必要がないため、狭いエレベータ乗り場であっても歩行を妨げることがない。
【００３３】
また、本実施形態では，フレーム２６の回転によりドラム体１５の向きを調整できるので、このドラム体１５を昇降路１の出入口１ｃより昇降路１内に搬入する際、この出入口１ｃの図示しない三方枠などの損傷を防止できるとともに、キャスタ２８により容易にドラム体１５を移動させることができる。さらに、ロープ６の両端６ａ，６ｂのエンド位置に応じてドラム体１５の向きを調整することにより、従来のように多数の滑車を使うことなく効率的にロープ交換作業を行なえる。
【００３４】
また、本実施形態では，ロープ送り出しドラム２４からエレベータの各部のプーリを通ってロープ巻き取りドラム２５にまで戻ってくる間のロープ長さがドラムの回転と共に短くなり，その分ロープ案内具２３が当初の位置よりも上昇することにより，ロープ長さの変化を吸収できるとともに，常にロープ６および新ロープ１７に一定のテンションがかかった状態を保つことができ，ロープ交換作業を容易に行なえる。なお、もしロープ巻き取りドラム２５の直径Ｄｂがロープ送り出しドラム２４の新ロープ１７を巻き付けた状態での新ロープ１７の外周部の直径Ｄａよりも小さく設定されている場合には，ロープ送り出し速度のほうがロープ巻取速度よりも大きいため，余分な新ロープ１７が送り出されてロープ６が弛んでしまうこととなり，ロープ交換作業が非常に煩雑なものとなってしまう。
【００３５】
また、本実施形態では，複数本のロープ６を同時に交換する場合に，ドラム体１５への各ロープ６，１７の巻き付け誤差が発生するが，ロープ案内具２３がロープ毎に独立して移動可能な構成としていることから，ロープテンションをロープ毎に均一にかけることができ，その結果、複数本のロープ６，１７の同時交換を容易に行なえる。
【００３６】
また、本実施形態では，ロープ接続部１８の直径Ｄを，おもりプーリ５ａおよびかご下プーリ４ａのロープ溝３３とロープ外れ止め３４との隙間δ以下となるように接続してあることから，ロープ６と新ロープ１７は各プーリにおいてロープ外れ止め３４を取外すことなく通過することができる。さらに，ロープ接続部１８の直径Ｄはロープ６と新ロープ１７の直径ｄ以上となるように接続してあることから，ロープ溝３３から外れることなくロープ交換が可能である。
【００３７】
また、本実施形態では，ドラム体１５のフレーム２６の下部にキャスタ２８が設けられているので、ドラム体１５は容易に移動可能である。
【００３８】
なお、上記実施形態では，ドラム体１５のフレーム２６にキャスタ２８をつけた場合を例示したが，取付台１４とつなぎ部材１６にローラを設けた場合においても同様の効果があり，本発明の範囲に含まれる。そして、ドラム体１５のフレーム２６の回転を必要としない場合には、フレーム２６の支持台３１の下部に直接キャスタを設けても構わない。
【００３９】
さらに、上記実施形態では、乗りかご４をレールブラケット２ａよりワイヤ１１で吊り下げ保持する構成で述べたが，他の構成であっても乗りかご４を昇降路１の頂部１ｂに保持できればよく，例えば乗りかご４の非常止め装置等を使用して保持した場合でも同様の効果がある。
【００４０】
さらに、上記実施形態では，つり合いおもり５をジャッキサポート１２にて保持する構成についても，同様に他の構成であってもつり合いおもり５を昇降路１の底部１ａに保持してロープ６のテンションを緩ませることができればよく，例えばチェーンブロック等の揚重機にてレールブラケット等に吊り下げて保持する構成としても同様の効果がある。
【００４１】
さらに、上記実施形態では，巻上機７が昇降路１の底部１ａに設置される機械室レス形式のエレべータの例で示したが，巻上機が昇降路上部に配置される機械室レス形式のエレベータ、または機械室ありで２：１ローピングのエレベータであっても，出入口１ｃの乗り場枠体に柱を設置せずとも主ロープ交換作業を行なうことができ，上記実施形態と同様の効果を得ることができる。
【００４２】
【発明の効果】
以上説明したように本発明の請求項１に係わる発明では、ロープ送り出しドラムとロープ巻き取りドラムから一体に構成したドラム体を昇降路の出入口からつなぎ部材を介して乗りかご上部の取付台に搬入し、ロープ送り出しドラムから新ロープを送り出すとともにロープ巻き取りドラムで既設のロープを巻き取るようになっているので、主ロープ交換の際に乗り場枠体の損傷を防止でき、乗り場枠体への養生および作業後の枠体の補修を要せずに、効率よく経済的に主ロープを交換することができる。さらに、上記のロープ交換作業を昇降路内で行ない、エレベータ乗り場に安全柵を設ける必要がないため、狭いエレベータ乗り場であっても歩行を妨げることがない。
【００４３】
また、本発明の請求項２に係わる発明では、キャスタによってドラム体を容易に移動させることができる。
【００４４】
また、本発明の請求項３に係わる発明では、フレームの回転によりドラム体の向きを調整できるので、このドラム体を昇降路の出入口より昇降路内に搬入する際、この出入口の三方枠などの損傷を防止できるとともに、キャスタにより容易にドラム体を移動させることができる。さらに、ロープ両端のエンド位置に応じてドラム体の向きを調整することにより、多数の滑車を使うことなくより効率的にロープ交換作業を行なえる。
【００４５】
また、本発明の請求項４に係わる発明では、乗りかごの上部の取付台とつなぎ部材の少なくとも一方に設けたローラ上を通ってドラム体を乗りかご上部に容易に搬入することができるので、昇降路を開口した状態でのロープ交換作業を短縮化でき、建物の利用者などの第三者への危険を少なくすることができる。
【図面の簡単な説明】
【図１】本発明の一実施形態に係るエレベータの主ロープ交換装置を示す縦断面図である。
【図２】図２は本実施形態によりドラム体を乗りかご上に載置する工程を示す縦断面図である。
【図３】本実施形態により乗りかごおよびつり合いおもりを保持する工程を示す縦断面図である。
【図４】本実施形態の主ロープ交換装置に設けられるロープ接続部の平面図である。
【図５】図４のロープがプーリに巻掛けられた状態を示す説明図である。
【図６】本実施形態の主ロープ交換装置に設けられるドラム体の説明図である。
【図７】本実施形態の主ロープ交換装置に設けられるロープ案内具の説明図である。
【符号の説明】
１　昇降路
１ｃ　出入口
２　ガイドレール
２ａ　レールブラケット
４　乗りかご
４ａ　かご下プーリ
５　つり合いおもり
５ａ　おもりプーリ
６　ロープ
７　巻上機
７ａ　巻上シーブ
９，１０　ロープ固定部
１１　ワイヤ（乗りかご保持部）
１２　ジャッキサポート（おもり保持部）
１４　取付台
１５　ドラム体
１６　つなぎ部材
１７　新ロープ
１８　ロープ接続部
２３　ロープ案内具
２４　ロープ送り出しドラム
２５　ロープ巻き取りドラム
２６　フレーム
２８　キャスタ
２９　基体
３０　回転座
３１　支持台
３２　支持部材
【図１】
2004083278.tif 000003
【図２】
2004083278.tif 000004
【図３】
2004083278.tif 000005
【図４】
2004083278.tif 000006
【図５】
2004083278.tif 000007
【図６】
2004083278.tif 000008
【図７】
2004083278.tif 000009